(57)【特許請求の範囲】
【請求項１】
原稿を光学的に走査して画像を読み取る読取手段と、
この読取手段で原稿を読み取る際の解像度変換と倍率とを含む読取条件を設定する設定手段と、
この設定手段の設定が複写モードであるか否かをチェックする第１の確認手段と、
この第２の確認手段で複写モードでなかった場合、上記設定手段の設定で解像度変換が有効であるか否かをチェックする第２の確認手段と、
この第２の確認手段で解像度変換が有効であれば、読み取りエリア＝原稿の周囲−画像を形成しないボイド幅を算出する第１の算出手段と、
上記第１の確認手段で複写モードの場合または上記第２の確認手段で解像度変換が有効でなければ、読み取りエリア＝原稿の周囲−画像を形成しないボイド幅×１００÷倍率を算出する第２の算出手段と、
上記第１の算出手段で算出された読み取りエリアまたは上記第２の算出手段で算出された読み取りエリアで上記読取手段の読み取り動作を制御する制御手段と、
を具備したことを特徴とする画像形成装置。
【請求項２】
原稿を光学的に走査して画像を読み取る読取手段と、
この読取手段で原稿を読み取る際の解像度変換と倍率とを含む読取条件を設定する設定手段と、
この設定手段の設定が複写モードであるか否かをチェックする第１の確認手段と、
この第２の確認手段で複写モードでなかった場合、上記設定手段の設定で解像度変換が有効であるか否かをチェックする第２の確認手段と、
この第２の確認手段で解像度変換が有効であれば、読み取りエリア＝原稿の周囲−２ｍｍを算出する第１の算出手段と、
上記第１の確認手段で複写モードの場合または上記第２の確認手段で解像度変換が有効でなければ、読み取りエリア＝原稿の周囲−２ｍｍ×１００÷倍率を算出する第２の算出手段と、
上記第１の算出手段で算出された読み取りエリアまたは上記第２の算出手段で算出された読み取りエリアで上記読取手段の読み取り動作を制御する制御手段と、
を具備したことを特徴とする画像形成装置。
【発明の詳細な説明】
【０００１】
【発明の属する技術分野】
この発明は、スキャナ部で原稿を読み取った画像データに基づいてプリンタ部で用紙に画像を形成する画像形成装置に関する。
【０００２】
【従来の技術】
従来、読み取った画像データを印刷する複写機能と外部に画像データを出力するスキャナ機能を併せ持つ画像形成装置がある。このような画像形成装置において、印刷時は用紙の周囲にボイド（印刷しない部分）領域を設けている。これは印刷プロセスの感光体ドラムからの剥離性能向上、用紙上に転写できなかったトナーによる転写ベルト汚れを防止するために行っている。
【０００３】
複写機能において原稿入力を行う場合は、実際に用紙に印刷されるエリアのみを読み取っている（印刷時にボイドとなって印刷されない部分は読み取らない）。
【０００４】
すなわち、図１１の（ａ）に示す原稿を、例えば、倍率１００％の場合は図１１の（ｂ）に示すように、用紙に印刷される画像の周囲から「ボイド幅×１００÷倍率（１００）」を引いたエリアを読み取ることになる。つまり、図１１の（ｃ）に示すように、用紙に印刷する画像に一定のボイドが付くように制御している。なお、ここで用紙とは、被印刷媒体のことを示している。
【０００５】
例えば、倍率５０％の場合は図１１の（ｄ）に示すように、用紙に印刷される画像の周囲から「ボイド幅×１００÷倍率（５０）」を引いたエリアを読み取り、図１１の（ｅ）に示すように印刷時にボイドを付加する。
【０００６】
例えば、倍率４００％の場合は図１２の（ａ）に示すように、用紙に印刷される画像の周囲から「ボイド幅×１００÷倍率（４００）」を引いたエリアを読み取り、図１２の（ｂ）に示すように印刷時にボイドを付加する。
【０００７】
また、スキャナ機能では拡大／縮小を単純に画像の大きさを変えるという目的だけでなく、解像度変換の手段にも用いている。この場合でも、上記で述べた複写機能と同様の方法で読み取りエリアを決定している。
【０００８】
しかしながら、このような従来の方法では、スキャナ機能で解像度変換を行う際、原稿に対して読み取るエリアを変えているため、解像度によって得られる画像が異なっていた。従って、解像度によっては読み取りエリアが小さくなり画像情報（原稿上の画像データ）が欠落してしまうという問題があった。
【０００９】
【発明が解決しようとする課題】
上記したように、スキャナ機能で解像度変換を行う際、原稿に対して読み取るエリアを変えているため、解像度によって得られる画像が異なっていた。従って、解像度によっては読み取りエリアが小さくなり画像情報（原稿上の画像データ）が欠落してしまうという問題があった。
【００１０】
そこで、この発明は、設定に応じて読み取りエリアを算出し、画像情報の欠落を防止することのできる画像形成装置を提供することを目的とする。
【００１１】
【課題を解決するための手段】
この発明の画像形成装置は、原稿を光学的に走査して画像を読み取る読取手段と、この読取手段で原稿を読み取る際の解像度変換と倍率とを含む読取条件を設定する設定手段と、この設定手段の設定が複写モードであるか否かをチェックする第１の確認手段と、この第２の確認手段で複写モードでなかった場合、上記設定手段の設定で解像度変換が有効であるか否かをチェックする第２の確認手段と、この第２の確認手段で解像度変換が有効であれば、読み取りエリア＝原稿の周囲−画像を形成しないボイド幅を算出する第１の算出手段と、上記第１の確認手段で複写モードの場合または上記第２の確認手段で解像度変換が有効でなければ、読み取りエリア＝原稿の周囲−画像を形成しないボイド幅×１００÷倍率を算出する第２の算出手段と、上記第１の算出手段で算出された読み取りエリアまたは上記第２の算出手段で算出された読み取りエリアで上記読取手段の読み取り動作を制御する制御手段とから構成されている。
【００１３】
この発明の画像形成装置は、原稿を光学的に走査して画像を読み取る読取手段と、この読取手段で原稿を読み取る際の解像度変換と倍率とを含む読取条件を設定する設定手段と、この設定手段の設定が複写モードであるか否かをチェックする第１の確認手段と、この第２の確認手段で複写モードでなかった場合、上記設定手段の設定で解像度変換が有効である否かをチェックする第２の確認手段と、この第２の確認手段で解像度変換が有効であれば、読み取りエリア＝原稿の周囲−２ｍｍを算出する第１の算出手段と、上記第１の確認手段で複写モードの場合または上記第２の確認手段で解像度変換が有効でなければ、読み取りエリア＝原稿の周囲−２ｍｍ×１００÷倍率を算出する第２の算出手段と、上記第１の算出手段で算出された読み取りエリアまたは上記第２の算出手段で算出された読み取りエリアで上記読取手段の読み取り動作を制御する制御手段とから構成されている。
【００１４】
【発明の実施の形態】
以下、この発明の一実施の形態について図面を参照して説明する。
【００１５】
図１は、この発明に係る画像形成装置の断面の概略構成を示すものである。すなわち、この画像形成装置１０は、スキャナ１１及びプリンタ１２を備え、上部に自動原稿送り装置（ＡＤＦ）１を装着している。
【００１６】
読取手段としてのスキャナ部１１は、光源としての読み取り光源（ランプ）２、原稿からの反射光を受光するＣＣＤセンサ３等を有し、これらを各部の位置を変更する駆動系（図示しない）、およびＣＣＤセンサ３の出力つまり画像データ（情報）をアナログデータからデジタルデータに変換するＡ／Ｄ変換部（図示せず）により構成されている。
【００１７】
画像形成手段としてのプリンタ部１２は、たとえばレーザ光学系と転写紙に画像形成が可能な電子写真方式を組み合せている。すなわち、プリンタ１２は、装置内のほぼ中央部に回転自在に軸支された像担持体としての感光体ドラム４を有し、レジストローラ５、転写ベルト６、定着器７、自動両面装置（ＡＤＵ）８、及び反転ユニット９等から構成されている。
【００１８】
また、画像形成装置１０のフロント側より着脱自在に上下複数段に装着された給紙手段としての給紙カセット１３ａ、１３ｂ、１３ｃが設けられている。この給紙カセット１３ａ、１３ｂ、１３ｃには、コピー用紙が収納されている。そして、上記給紙カセット１３ａ、１３ｂ、１３ｃ内に収納されたコピー用紙は、図示しないピックアップローラにて最上層からピックアップされて取り出されるようになっている。
【００１９】
また、画像形成装置１０の右サイド側には、大容量給紙装置（ＬＣＦ）１３ｄが設けられている。大容量給紙装置１３ｄに収納されたコピー用紙は、図示しないピックアップローラにて最上層からピックアップされて取り出されるようになっている。大容量給紙装置１３ｄの取出し端部側に送り込まれたコピー用紙は、プリンタ１２に向け搬送されるようになっている。
【００２０】
図２は、画像形成装置１０の電気的接続および制御のための信号の流れを概略的に示すものである。画像形成装置１０は、システムＣＰＵ（ＳＹＳＴＥＭ−ＣＰＵ）２０とスキャナ部１１のスキャナＣＰＵ（ＳＣＡＮＮＥＲ−ＣＰＵ）３０とプリンタ部１２のプリンタＣＰＵ（ＰＲＩＮＴＥＲ−ＣＰＵ）４０の３つのＣＰＵで構成されている。
【００２１】
システムＣＰＵ２０は、コントロールパネル２４からの操作によりＬＥＤの点灯／液晶表示器（ＬＣＤ）への文字列の表示、操作に応じた動作制御、スキャナＣＰＵ３０、プリンタＣＰＵ４０への指示を行っている。
【００２２】
また、システムＣＰＵ２０は、スキャナＣＰＵ３０、プリンタＣＰＵ４０からシリアル通信で状態を受け取り、その表示を行っている。スキャナＣＰＵ３０、プリンタＣＰＵ４０は、システムＣＰＵ２０からの指示により各駆動デバイスのコントロールを行う。
【００２３】
システムＣＰＵ２０には、ＲＯＭ２１、ＲＡＭ２２、ＮＶＲＡＭ２３、コントロールパネル２４、画像処理回路２５、ページメモリ制御部（ＰＭ制御部）２６、ページメモリ（ＰＭ）２７、データ圧縮・伸張回路２８、及びハードディスク装置（ＨＤＤ）２９とが接続されている。また、システムＣＰＵ２０は、外部装置と接続する外部インタフェース（外部Ｉ／Ｆ）５０を有している。
【００２４】
システムＣＰＵ２０は、全体を制御するものである。ＲＯＭ２１は、制御プログラムが記憶されている。ＲＡＭ２２は、一時的にデータを記憶するものである。ＮＶＲＡＭ（nonvolatile ＲＡＭ）２３は、バッテリ（図示しない）にバックアップされた不揮発性のメモリであり、電源を切った時ＮＶＲＡＭ２３上のデータを保持するようになっている。
【００２５】
画像処理回路２５は、画像データに対して画像処理を行うものである。ページメモリ制御部２６は、ページメモリ２７に画像データを記憶したり、読出したりするものである。ページメモリ２７は、複数ページ分の画像データを記憶できる領域を有し、画像データを圧縮したデータを１ページ分ごとに記憶可能に形成されている。データ圧縮・伸張回路２８は、画像データを圧縮したり、圧縮された形態の画像データを伸張するものである。ハードディスク装置２９は、記憶手段として各種データを記憶するものである。
【００２６】
スキャナＣＰＵ３０には、制御プログラム等が記憶されているＲＯＭ３１、データ記憶用のＲＡＭ３２、ＣＣＤセンサ３を駆動するＣＣＤドライバ３３、読み取り光源２等を移動するモータの回転を制御するスキャンモータドライバ３４、及び自動原稿送り装置（ＡＤＦ）１が接続されている。
【００２７】
プリンタＣＰＵ４０には、制御プログラム等が記憶されているＲＯＭ４１、データ記憶用のＲＡＭ４２、不揮発性のメモリであるＮＶＲＡＭ４３、図示しない半導体レーザによる発光をオン／オフするレーザドライバ４４、用紙を給紙制御する用紙給紙制御部４５、及び画像形成した用紙を排出するフィニッシャ（FINISHER）４６とが接続されている。
【００２８】
図３は、操作手段としてのコントロールパネル２４の構成を示すものである。すなわち、コントロールパネル２４は、トータルカウンタ６１、エネルギセーバ（ENERGY SAVER）キー６２、中断（INTERRUPT）キー６３、ヘルプキー６４、コピーキー６５、ネットワーク（NET WORK）キー６６、液晶表示器（ＬＣＤ）とタッチパネルとから構成されるメッセージ表示装置６７、機能クリア（FUNCTION CLEAR）キー６８、ストップキー６９、スタートキー７０、テンキー７１、及びクリアキー７２とから構成されている。
【００２９】
メッセージ表示装置６７は、画像形成装置の状態、操作手順およびユーザに対する各種の指示を文字と絵で表示する。表示手段としてのメッセージ表示装置６７は、タッチパネルを内蔵して機能の設定も行うことができる。
【００３０】
ストップキー６９は、コピー動作を停止させるときに使用する。
【００３１】
スタートキー７０は、コピーを開始するときに押す。
【００３２】
テンキー７１は、コピーしたい枚数をセットするときに使用する。
【００３３】
クリアキー７２は、コピー枚数を訂正するとき使用する。
【００３４】
図４は、画像形成装置１０に外部装置を接続した構成例を示すものである。すなわち、画像形成装置１０に、外部インタフェース５０、コントローラ８１を介してパーソナルコンピュータ等で構成されるクライアント８２が接続される。
【００３５】
本発明の画像形成装置における読み取り方法は、指定された原稿サイズ分のエリアに倍率をかけ、算出されたエリアを読み取るようにする。読み取った画像は一旦ぺ一ジメモリ上に展開される。ここでぺ一ジメモリ上に展開されている画像は、印刷時に付加するボイドを除いた部分の画像である。本実施例で読み取られた画像データはデータ圧縮が施され、ハードディスク装置２９にファイルとし保存される。
【００３６】
図５の（ａ）と（ｂ）に示すように、本実施例でボイドは用紙の周囲２ｍｍに付くものとする。また、印刷時にボイドを付け、さらに印刷する画像もボイドを除いた大きさにしている。
【００３７】
次に、画像形成装置１０において、複写として原稿読み取りを行う場合、読み取った画像は最終的に用紙に印刷されることを前提として読み取りエリアを決定する。詳しくは後述するが、倍率に応じて読み取りエリアを変更し、印刷時にはボイド幅が一定となるように調整する。
【００３８】
原稿のコーナを原点（主走査方向：０ｍｍ／副走査方向：０ｍｍ）において、原稿読み取りを行う場合の読み取りエリアの算出方法を以下に示す。また、それぞれの場合（倍率）に応じた読み取りエリアの例を図６の（ａ）、（ｂ）、（ｃ）に示す（原稿はコーナに置かれていて、読み取りエリアのみを示しているものとする）。
【００３９】
なお、Ａ４用紙のサイズは、主走査方向：２９７ｍｍ／副走査方向：２１０ｍｍとする。
【００４０】
図６の（ａ）に示すＡ４原稿で倍率１００％の場合
主走査方向開始点：
０ｍｍ＋ボイド幅×１００÷倍率＝０ｍｍ＋２ｍｍ×１００÷１００＝２ｍｍ
主走査方向終了点：
２９７ｍｍ−ボイド幅×１００÷倍率＝２９７ｍｍ−２ｍｍ×１００÷１００＝２９５ｍｍ
副走査方向開始点：
０ｍｍ＋ボイド幅×１００÷倍率＝０ｍｍ＋２ｍｍｘ１００÷１００＝２ｍｍ
副走査方向終了点：
２１０ｍｍ−ボイド幅×１００÷倍率＝２１０ｍｍ−２ｍｍ×１００÷１００＝２０８ｍｍ
図６の（ｂ）に示すＡ４原稿で倍率５０％の場合
主走査方向開始点：
０ｍｍ＋ボイド幅×１００÷倍率＝０ｍｍ＋２ｍｍ×１００÷５０＝４ｍｍ
主走査方向終了点：
２９７ｍｍ−ボイド幅×１００÷倍率＝２９７ｍｍ−２ｍｍ×１００÷５０＝２９３ｍｍ
副走査方向開始点：
０ｍｍ＋ボイド幅×１００÷倍率＝０ｍｍ＋２ｍｍ×１００÷５０＝４ｍｍ
副走査方向終了点：
２１０ｍｍ−ボイド幅×１００÷倍率＝２１０ｍｍ−２ｍｍ×１００÷５０＝２０６ｍｍ
図６の（ｃ）に示すＡ４原稿で倍率２００％の場合
主走査方向開始点：
０ｍｍ＋ボイド幅×１００÷倍率＝０ｍｍ＋２ｍｍ×１００÷２００＝１ｍｍ
主走査方向終了点：
２９７ｍｍ−ボイド幅×１００÷倍率＝２９７ｍｍ−２ｍｍ×１００÷２００＝２９６ｍｍ
副走査方向開始点：
０ｍｍ＋ボイド幅×１００÷倍率＝０ｍｍ＋２ｍｍ×１００÷２００＝１ｍｍ
副走査方向終了点：
２１０ｍｍ−ボイド幅×１００÷倍率＝２１０ｍｍ−２ｍｍ×１００÷２００＝２０９ｍｍ
次に、画像形成装置１０において、スキャナ機能（画像形成装置１０のスキャナ部１１を単なるスキャナとして用いる場合）で変倍を用いる場合は、単に画像を拡大／縮小する場合と、解像度変換を行うために拡大／縮小する場合とがある。
【００４１】
まず、画像を拡大／縮小する場合は、読み取った画像を印刷することを考慮し、印刷時にボイドとして印刷されない部分は読み取らないようにする。画像を拡大／縮小し画像の大きさを変えるので、複写機能と同様に倍率に応じて読み取りエリアを決定する。読み取りエリアの計算方法も上述した複写と同様である。
【００４２】
また、解像度変換に拡大／縮小を行う場合は、印刷する画像の大きさは変わるわけではないので、ボイド幅は一定幅とする。印刷することを考慮し、ボイドとなる部分は読み取らない。
【００４３】
読み取りエリアの算出方法（Ａ４サイズの原稿を読み取る場合）
主走査方向開始点：
０ｍｍ＋ボイド幅＝０ｍｍ＋２ｍｍ＝２ｍｍ
主走査方向終了点：
２９７ｍｍ−ボイド幅＝２９７ｍｍ−２ｍｍ＝２９５ｍｍ
副走査方向開始点：
０ｍｍ＋ボイド幅＝０ｍｍ＋２ｍｍ＝２ｍｍ
副走査方向終了点：
２１０ｍｍ−ボイド幅＝２１０ｍｍ−２ｍｍ＝２０８ｍｍ
次に、読み取りエリア算出方法の使い分けについて説明する。
【００４４】
上述したように、機能によって読み取りエリアの算出方法が異なっている。本発明では、この２つの算出方法を機能
（目的）に応じて切り換えて用いる。
【００４５】
複写機能での原稿読み取りまたは、スキャナ機能で拡大／縮小を行う場合は、「ボイド幅×１００÷倍率」を原稿の周囲から差し引いて読み取りエリアとする。
【００４６】
スキャナ機能で解像度変換を行う場合は、原稿の周囲からボイド幅分差し引いて読み取りエリアとする。
【００４７】
複写機能、スキャナ機能の選択は、コントロールパネル２４上のネットワーク（NET WORK）キー６６が押下されることにより、画像形成装置のモード（MODE）が変更される。この画像形成装置のモード情報はＲＡＭ２２に記憶され、その情報を参照することができる。
【００４８】
また、解像度変換を行うかどうかは、クライアント８２よりコントローラ８１を介して画像形成装置１０に通知することができる。この情報もＲＡＭ２２に記憶され、その情報を参照することができる。
【００４９】
システムＣＰＵ２０は、これらの情報を参照し、そのときの機能を判断し、上述した読み取りエリア算出方法の切り換えを行うようにしている。
【００５０】
次に、このような構成において、画像形成装置における読み取り動作を図７〜１０を参照して説明する。
【００５１】
図７におけるメイン処理において、システムＣＰＵ２０は、コントロールパネル２４からのキー入力処理（ＳＴ１）、メッセージ送受信処理（ＳＴ２）、外部インタフェース５０の処理（ＳＴ３）、メッセージ表示装置の表示更新処理（ＳＴ４）、そして自動原稿送り装置１からの原稿入力処理（ＳＴ５）を実行する。
【００５２】
図８におけるキー入力処理において、システムＣＰＵ２０は、ハードキー入力であり（ＳＴ１１）、スタートキー７０であれば動作開始処理を行い（ＳＴ１２）、テンキー７１であれば数値入力処理を行い（ＳＴ１３）、ネットワーク（NET WORK）キー６６であればモード（MODE）切り換えを行い（ＳＴ１４）、他のハードキー入力であればその対応する処理を行う。
【００５３】
また、システムＣＰＵ２０は、ハードキー入力でなくアイコン入力であり（ＳＴ１１）、温度アイコンであれば温度変更処理を行い（ＳＴ１５）、両面設定アイコンであれば両面設定処理を行い（ＳＴ１６）、サイズ設定アイコンであればサイズ設定処理を行い（ＳＴ１７）、他のアイコン入力であればその対応する処理を行う。
【００５４】
図９におけるメッセージ送受信処理において、システムＣＰＵ２０は、スキャナＣＰＵ３０との通信処理を行い、受信バッファにデータが有れば（ＳＴ２１）、受信バッファのデータを取得し（ＳＴ２３）、メッセージ毎に処理し（ＳＴ２４）、送信バッファにデータが有れば（ＳＴ２５）、メッセージを送信する（ＳＴ２６）。
【００５５】
図１０における原稿入力処理において、システムＣＰＵ２０は、複写モードか否かをチェックし（ＳＴ３１）、複写モードであれば、読み取りエリア＝原稿の周囲−２ｍｍ×１００÷倍率を算出する（ＳＴ３２）。
【００５６】
システムＣＰＵ２０は、ステップＳＴ３１で複写モードでなかった場合に解像度変換が有効かをチェックし（ＳＴ３３）、解像度変換が有効でなければ、読み取りエリア＝原稿の周囲−２ｍｍ×１００÷倍率を算出し（ＳＴ３４）、解像度変換が有効であれば、読み取りエリア＝原稿の周囲−２ｍｍを算出する（ＳＴ３５）。
【００５７】
そしてシステムＣＰＵ２０は、ステップＳＴ３２またはステップＳＴ３４またはステップＳＴ３５で算出した読み取りエリアで、スキャナＣＰＵ３０へスキャン開始を指示する（ＳＴ３６）。
【００５８】
以上説明したように上記発明の実施の形態によれば、機能に応じて自動的に読み取りエリアを決定することにより、印刷時の剥離性の向上、転写ベルト汚れの防止（転写性能劣化の防止）を図り、ボイド領域が余分に付くことによる画像かけが発生しない原稿の読み取りを行うことができる。これにより、ユーザが希望する画像の入力を行うことができるとともに画像形成装置の性能低下も最小限に抑えることができる。
【００５９】
上記画像形成装置における設定手段で設定される読取条件は、原稿の画像を読み取って画像を形成する複写機能／原稿の画像を読み取るだけのスキャナ機能の設定、画像の拡大／縮小の設定、解像度変換を行う／行わないの設定であることを特徴とする。
【００６０】
上記画像形成装置における第１の算出手段は、解像度変換を行うための変倍時の倍率によらず、画像を形成する際に画像を形成しないボイドエリアを所定幅付加した読み取りエリアを算出することを特徴とする。
【００６１】
上記画像形成装置における第１の算出手段は、「読み取りエリア＝原稿の周囲−画像を形成しないボイド幅」で算出することを特徴とする
上記画像形成装置における第１の算出手段は、原稿のコーナを原点として、主走査方向読み取り開始点を「原点＋画像を形成しないボイド幅」で算出し、主走査方向読み取り終了点を「原稿の主走査方向幅−画像を形成しないボイド幅」で算出し、副走査方向読み取り開始点を「原点＋画像を形成しないボイド幅」で算出し、副走査方向読み取り終了点を「原稿の副走査方向幅−画像を形成しないボイド幅」で算出することを特徴とする。
【００６２】
上記画像形成装置における第２の算出手段は、倍率に応じて画像を形成する際に画像を形成しないボイドエリアを所定幅付加した読み取りエリアを算出することを特徴とする。
【００６３】
上記画像形成装置における第２の算出手段は、「読み取りエリア＝原稿の周囲−画像を形成しないボイド幅×１００÷倍率」で算出することを特徴とする。
【００６４】
上記画像形成装置における第２の算出手段は、原稿のコーナを原点として、主走査方向読み取り開始点を「原点＋画像を形成しないボイド幅×１００÷倍率」で算出し、主走査方向読み取り終了点を「原稿の主走査方向幅−画像を形成しないボイド幅×１００÷倍率」で算出し、副走査方向読み取り開始点を「原点＋画像を形成しないボイド幅×１００÷倍率」で算出し、副走査方向読み取り終了点を「原稿の副走査方向幅−画像を形成しないボイド幅×１００÷倍率」で算出することを特徴とする。
【００６５】
【発明の効果】
以上詳述したようにこの発明によれば、設定に応じて読み取りエリアを算出し、画像情報の欠落を防止することのできる画像形成装置を提供することができる。
【図面の簡単な説明】
【図１】この発明に係る画像形成装置の断面の概略構成を示す断面図。
【図２】画像形成装置の電気的接続および制御のための信号の流れを概略的に示すブロック図。
【図３】コントロールパネルの構成を示す図。
【図４】画像形成装置に外部装置を接続した構成例を示す図。
【図５】印刷時にボイドを付加する例を示す図。
【図６】読み取りエリアを説明するための図。
【図７】画像形成装置の読み取り動作を説明するためのフローチャート。
【図８】画像形成装置の読み取り動作を説明するためのフローチャート。
【図９】画像形成装置の読み取り動作を説明するためのフローチャート。
【図１０】画像形成装置の読み取り動作を説明するためのフローチャート。
【図１１】従来の用紙に印刷されるエリアの読み取りを説明する図。
【図１２】従来の用紙に印刷されるエリアの読み取りを説明する図。
【符号の説明】
１０…画像形成装置
１１…スキャナ部
１２…プリンタ部
２０…システムＣＰＵ
２１…ＲＯＭ
２２…ＲＡＭ
２３…ＮＶＲＡＭ
２４…コントロールパネル
２５…画像処理回路
２６…ページメモリ制御部
２７…ページメモリ
３０…スキャナＣＰＵ
４０…プリンタＣＰＵ
【図１】
0003749421.tif 000002
【図２】
0003749421.tif 000003
【図３】
0003749421.tif 000004
【図４】
0003749421.tif 000005
【図５】
0003749421.tif 000006
【図６】
0003749421.tif 000007
【図７】
0003749421.tif 000008
【図８】
0003749421.tif 000009
【図９】
0003749421.tif 000010
【図１０】
0003749421.tif 000011
【図１１】
0003749421.tif 000012
【図１２】
0003749421.tif 000013